(57)【特許請求の範囲】
【請求項１】
外殻体を貫通形成してなる開口部を備えるセンサ窓取付部に嵌合して配設されるセンサ窓と、前記外殻体の内部に配設され、前記センサ窓の前記開口部を被覆する半透明のセンサ窓部を通じて人を検知する人体検知センサとからなる人体検知システムを備えた便器装置であって、
前記人体検知センサは、焦電センサで構成され、
人に視認させるためのマークが前記センサ窓部に設けられており、
前記マークが前記人体検知センサの検知範囲と重なる位置に設けられていることを特徴とする便器装置。
【請求項２】
請求項１記載の便器装置において、
前記センサ窓が、前記センサ窓と前記外殻体のセンサ窓取付部の取合部に沿って配設される装飾部を備えて形成されている便器装置。
【請求項３】
請求項１または請求項２に記載の便器装置において、
前記センサ窓部が前記外殻体の表面から外側に突出して配設されている便器装置。
【請求項４】
請求項１から請求項３のいずれか一項に記載の便器装置において、
前記センサ窓が前記便器装置の外殻体を構成するカバーケースの幅方向中央且つ上面に設けられている便器装置。
【請求項５】
請求項１から請求項４のいずれか一項に記載の便器装置において、
前記センサ窓が前記外殻体の外側から前記センサ窓取付部に嵌合されている便器装置。
【発明の詳細な説明】
【技術分野】
【０００１】
本発明は、便器装置に関する。
【背景技術】
【０００２】
便器装置は、便鉢のボウル部及びリム部からなる便器本体と、便器本体の後部側に設けられ、例えば使用者によるリモコン操作を検知して便器本体内に洗浄水を吐出させる洗浄機構部と、便座及び便蓋からなる便座部とを備えて構成されている。
【０００３】
例えば、洗浄機構部は、便器本体の後部側に着脱可能に一体に設けられ、且つカバーケース内に収容して設けられ、リモコン操作によって洗浄水流路を開閉制御するコントロールバルブ、電磁バルブなどの開閉弁を備え、この開閉弁によって便器本体のリム部に洗浄水を流すリム吐水、便器本体のボウル部、封水部に洗浄水を流すジェット吐水の切替、吐水流量の制御が行えるように構成されている。
【０００４】
カバーケースは、便器本体の後部上面に設置されるベース（ベースプレート）と、ベースに組み付けられて収容空間を形成するカバー（外殻体）とを備えて構成されている。なお、局部洗浄装置、温風乾燥装置などを備える便器装置は、一般に、このカバーケースに、局部洗浄装置、温風乾燥装置などを洗浄機構部とともに収容して構成されている。
【０００５】
一方、便器装置を使用する使用者などの人が入室、退室する際に、人を検知して自動的に便蓋を開閉させたり、洗浄機構部などを駆動させるための人体検知センサを備えた便器装置もある。例えば焦電センサなどの人体検知センサをカバーケース内に収容して設置し、カバーケースに貫通形成された開口部に取り付けたセンサ窓を通じて人体検知センサが人体を検知するように構成されている（例えば、特許文献１参照）。
【先行技術文献】
【特許文献】
【０００６】
【特許文献１】特開２０１３−０７６２１６号公報
【発明の概要】
【発明が解決しようとする課題】
【０００７】
ここで、従来の便器装置においては、製造者や製品名などのロゴを目立たせるために使用者の視界に入りやすいカバーケースの幅方向中央の上面に設け、センサ窓を極力目立たなくするためにカバーケースの幅方向の側部側に設けることが多い。
【０００８】
これにより、ブランドロゴや商品ロゴ等の各種ロゴ、センサ窓がそれぞれ単独で機能し、個別に点在して設けられていることで、デザイン的なまとまりを出すことが難しく、意匠性の低下を招く場合があった。
【０００９】
また、センサ窓を極力目立たなくするためにカバーケースの幅方向の側部側に設けることによって、人体検知センサの検知範囲（検知範囲の中心）が便器装置の幅方向の側部側から便器装置の前方に向かうに従い幅方向中央側に向かう斜め方向に配されることになる。すなわち、便器装置の中央前方から便器装置に向かう使用者などの人に対し、人を検知する範囲が斜めから交差するように設定されることになる。このため、検知範囲を便器装置の中央から前方に検知範囲が設定される場合と比較し、検知精度が低くなる。
【００１０】
さらに、従来では、例えばセンサ窓の意匠面積を極力小さくするために、カバーケースの外面から内面に貫通形成した開口部に対し、カバーケースの内面側からセンサ窓を嵌合させて取り付けるようにしている。このため、このカバーケースの内面側から取り付けたセンサ窓がカバーケースの外面側から押し込まれてもセンサ窓が外れないようにする保持部材などがカバーケースの内面側に必要になる。
【００１１】
また、カバーケースの開口部の周端と開口部に嵌合したセンサ窓の外周の取合部がそのまま露出していると意匠性の低下を招くため、この取合部を被覆する装飾部材をカバーケースの外面側から別途取り付けて意匠性を確保することも必要になる。
【００１２】
これにより、部材点数が多くなり、さらにセンサ窓の取付作業が煩雑になるという不都合があった。
【００１３】
本発明は、上記事情に鑑み、人体検知システムのセンサ窓を見栄えよく設けることを可能にした便器装置を提供することを目的とする。
【課題を解決するための手段】
【００１４】
上記の目的を達するために、この発明は以下の手段を提供している。
【００１５】
本発明の便器装置は、外殻体を貫通形成してなる開口部を備えるセンサ窓取付部に嵌合して配設されるセンサ窓と、前記外殻体の内部に配設され、前記センサ窓の前記開口部を被覆する半透明のセンサ窓部を通じて人を検知する人体検知センサとからなる人体検知システムを備えた便器装置であって、前記人体検知センサは、焦電センサで構成され、人に視認させるためのマークが前記センサ窓部に設けられており、前記マークが前記人体検知センサの検知範囲と重なる位置に設けられていることを特徴とする。
【００１６】
また、本発明の便器装置においては、前記センサ窓が、前記センサ窓と前記外殻体のセンサ窓取付部の取合部に沿って配設される装飾部を備えて形成されていることが望ましい。
【００１７】
さらに、本発明の便器装置においては、前記センサ窓部が前記外殻体の表面から外側に突出して配設されていることがより望ましい。
【００１８】
また、本発明の便器装置においては、前記センサ窓が前記便器装置の外殻体を構成するカバーケースの幅方向中央、且つ上面に設けられていることがさらに望ましい。
【００１９】
さらに、本発明の便器装置においては、前記センサ窓が前記外殻体の外側から前記センサ窓取付部に嵌合されていることが望ましい。
【発明の効果】
【００２０】
本発明の便器装置においては、センサ窓のセンサ窓部にロゴなどのマークを施すことによって、従来、それぞれ個別に点在し、単独で機能していたブランドロゴや商品ロゴ等のマークとセンサ窓とをまとめて設けることができ、これにより、意匠性の向上を図ることが可能になる。
【００２１】
よって、本発明の便器装置によれば、人体検知システムのセンサ窓を見栄えよく設けることが可能になる。
【図面の簡単な説明】
【００２２】
【図１】本発明の一実施形態に係る便器装置を示す斜視図である。
【図２】本発明の一実施形態に係る便器装置のセンサ窓取付部を示す断面図である。
【図３】本発明の一実施形態に係るセンサ窓を示す分解斜視図である。
【図４】本発明の一実施形態に係るセンサ窓の窓保持部材を示す図であり、（ａ）は平面図、（ｂ）は（ａ）のＸ１−Ｘ１線矢視図、（ｃ）は（ａ）のＸ２−Ｘ２線矢視図である。
【図５】本発明の一実施形態に係るセンサ窓のセンサ窓本体を示す図であり、（ａ）は平面図、（ｂ）は（ａ）のＸ１−Ｘ１線矢視図、（ｃ）は（ａ）のＸ２−Ｘ２線矢視図である。
【図６】本発明の一実施形態に係るセンサ窓の窓取付部材を示す図であり、（ａ）は平面図、（ｂ）は（ａ）のＸ１−Ｘ１線矢視図、（ｃ）は（ａ）のＸ２−Ｘ２線矢視図である。
【発明を実施するための形態】
【００２３】
以下、図１から図６を参照し、本発明の一実施形態に係る便器装置について説明する。
【００２４】
はじめに、本実施形態の便器装置Ａは、図１に示すように、便器本体１と、便器本体１の後部側に設けられ、例えば使用者によるリモコン操作を検知して便器本体１内に洗浄水を吐出させる洗浄機構部２と、便座３ａ及び便蓋３ｂからなる便座部３とを備えて構成されている。
【００２５】
洗浄機構部２は、便器本体１の後部側に着脱可能に一体に設けられ、且つカバーケース４内に収容して設けられている。ちなみに、洗浄機構部２は、例えばリモコン操作によって洗浄水流路を開閉制御するコントロールバルブ、電磁バルブなどの開閉弁を備え、この開閉弁によって便器本体１のリム部に洗浄水を流すリム吐水、便器本体１のボウル部、封水部に洗浄水を流すジェット吐水の切替、吐水流量の制御が行えるように構成されている。
【００２６】
カバーケース４は、便器本体１の後部上面に設置されるベース（ベースプレート）と、ベースに組み付けられて収容空間を形成するカバー（外殻体）４ａとを備えて構成されている。
【００２７】
便座３ａ及び便蓋３ｂからなる便座部３は、カバーケース４に着脱可能に接続し、横方向の幅方向Ｔ１に延びる回動軸Ｏ１周り（上下方向）に回動自在に設けられている。
【００２８】
一方、本実施形態の便器装置Ａには、例えば、使用者などの人が入室、退室する際に人を検知して自動的に便蓋３ｂを開閉させたり、洗浄機構部２などを駆動させるための人体検知システムＢが設けられている。
【００２９】
本実施形態の人体検知システムＢは、図１及び図２に示すように、焦電センサなどの人体検知センサ５とセンサ窓６とを備えて構成されている。また、本実施形態では、この人体検知システムＢがカバーケース４の前方側（前後方向Ｔ２の前方側）で且つ便器装置Ａの幅方向Ｔ１中央に設けられている。
【００３０】
センサ窓６は、カバーケース４の幅方向Ｔ１中央の上面（外面）４ｂから下面（内面）４ｃに貫通形成された開口部７に取り付けられ、例えば人体から放出される熱エネルギー（赤外線）を透過させ、カバーケース４内に設けられた人体検知センサ５に伝達／検知させるためのものである。
【００３１】
そして、本実施形態では、このセンサ窓６が、図２、図３に示すように、略方形リング状に形成された窓保持部材１０と、上方から窓保持部材１０を嵌め込んで一体に取り付けられる蓋状のセンサ窓本体１１と、窓保持部材１０よりも僅かに大きい略相似形の略方形リング状に形成され、上方からセンサ窓本体１１及び窓保持部材１０を嵌め込んで一体に取り付けられる窓取付部材（インナー部材）１２とを備えて構成されている。
【００３２】
窓保持部材１０は、例えば樹脂成型品であり、図２、図３及び図４に示すように、略方形リング状に形成されるとともに外周端から上方に突出して周方向に繋がる側壁部１０ａを備えて形成されている。また、窓保持部材１０の側壁部１０ａには、外面から内面側に凹む係合凹部１０ｂが設けられている。
【００３３】
センサ窓本体１１は、半透明の樹脂成型品であり、図２、図３及び図５に示すように、窓保持部材１０を嵌め込んで一体に取り付けた状態で、窓保持部材１０の中央孔ひいては開口部７を上方から被覆する板状のセンサ窓部１１ａと、センサ窓部１１ａの外周端から下方に突出して周方向に繋がる嵌合壁部１１ｂを備えて断面略コ字状に形成されている。
【００３４】
センサ窓本体１１の嵌合壁部１１ｂには、内面から内側に突出する内側係合凸部１１ｃと外面から外側に突出する外側係合凸部１１ｄが設けられている。そして、側壁部１０ａの係合凹部１０ｂと嵌合壁部１１ｂの内側係合凸部１１ｃを係合させつつ、嵌合壁部１１ｂの内側に側壁部１０ａが重なるように嵌め込むことによって、窓保持部材１０がセンサ窓本体１１に一体に取り付けられる。
【００３５】
また、センサ窓本体１１（及び窓保持部材１０）は、前後方向Ｔ２の奥行方向後端側から手前側の前端側に向かうに従い漸次その横方向Ｔ１の幅寸法が大となるように形成されている。センサ窓本体１１は、センサ窓部１１ａが幅方向Ｔ１中央を中心として横断面視で凸円弧状に形成されている。センサ窓本体１１は、前後方向Ｔ２の奥行方向略中央（中央よりも僅かに前端側）を中心として縦断面視で凸円弧状に形成されている。
【００３６】
さらに、本実施形態では、センサ窓本体１１のセンサ窓部１１ａの幅広の前端側の上面に、製造者や製品名などのロゴ（マーク）Ｍが印刷されている。なお、ロゴ等のマークは、シールなどとしてセンサ窓部１１ａに貼り付けられていてもよい。
【００３７】
ここで、センサ窓本体１１は、高密度ポリエチレンなどの樹脂製であり、インクや接着剤などの密着性が低く、一般の印刷工程だけではロゴ（マーク）Ｍの耐摩耗性等が低くなるおそれがある。このため、本実施形態では、印刷工程の前処理としてセンサ窓本体１１の印刷部分（上面）に表面改質処理を施すようにしている。表面改質処理としては、例えば、フレーム処理、プラズマ放電処理、紫外線照射処理、コロナ放電処理などが挙げられる。また、低表面エネルギーの樹脂材に対しても接着性等が強い／大きいインクを使用してロゴを印刷するようにしている。
【００３８】
窓取付部材１２は、図２、図３及び図６に示すように窓保持部材１０よりも僅かに大きい略方形リング状に形成された取付部１２ａと、取付部１２ａの外周端から上方に突出して周方向に繋がる側壁部１２ｂと、センサ窓本体１１と略同等の大きさの外周形状（平面視形状）の中央孔を形成するように、側壁部１２ｂの上端から横方向内側に突出するとともに周方向に繋がる装飾部１２ｃとを備えて形成されている。
【００３９】
本実施形態では、窓取付部材１２の少なくとも装飾部１２ｃの上面がメッキ処理されている。なお、装飾部１２ｃは、鏡面処理や好適な色彩にするなど、他の装飾処理を施して形成されてもよい。
【００４０】
また、窓取付部材１２には、内側に係合凹部１２ｄが設けられている。そして、この窓取付部材１２は、上方から中央孔内に、センサ窓本体１１の外側係合凸部１１ｄと窓取付部材１２の係合凹部１２ｄを係合させつつセンサ窓本体１１及び窓保持部材１０を嵌合させることにより、これらセンサ窓本体１１及び窓保持部材１０と一体に取り付けられる。また、本実施形態では、窓保持部材１０と窓取付部材１２の取付部１２ａの上面を両面テープ１３などによって接着し、強固に一体化するようにしている。
【００４１】
一方、図２に示すように、上記構成からなる本実施形態のセンサ窓６を取り付けるカバーケース４の幅方向Ｔ１中央のセンサ窓取付部１５には、カバーケース４の上面４ｂから内面４ｃに貫通形成して開口部７が設けられている。また、この開口部７は、カバーケース４の上面４ｂから下方の内側に所定の長さをもって延びる段部４ｄと、段部４ｄの下端から横方向に延び、周方向に繋がる取付座部４ｅとによって、カバーケース４の上面４ｂよりも段部４ｄの長さ分だけ内側に配され、取付座部４ｅによって形成されている。
【００４２】
そして、図１及び図２（図３）に示すように、センサ窓本体１１、窓保持部材１０、窓取付部材１２を一体化してなるセンサ窓６は、窓取付部材１２をセンサ窓取付部１５に上方から嵌め込んでカバーケース４の幅方向Ｔ１中央に取り付けられている。また、このとき、センサ窓６は、センサ窓取付部１５の取付座部４ｅの上面と窓取付部材１２の取付部１２ａの下面を両面テープ１６などによって接着し、カバーケース４に強固に取り付けられる。
【００４３】
カバーケース４のセンサ窓取付部１５にセンサ窓６を取り付けた状態で、カバーケース４に形成された開口部７が半透明のセンサ窓部１１ａで被覆されるとともに、カバーケース４の上面４ｂよりもセンサ窓部１１ａが僅かに上方に突出して配設されている。
【００４４】
さらに、センサ窓取付部１５にセンサ窓６を取り付けるとともに、窓取付部材１２の装飾部１２ｃがセンサ窓６とカバーケース４のセンサ窓取付部１５の取合部（境界部分）に沿って配設される。
【００４５】
次に、図２に示すように、焦電センサなどの人体検知センサ５は、カバーケース４の内部に、内部から開口部７、センサ窓部１１ａを通じて便器装置Ａの前方の所定の範囲を検知するように固定して設けられている。このとき、人体検知センサ５は、センサ窓取付部１５の取付座部４ｅに一体にしたセンサ固定用のボス１７に取り付けることにより、所定の位置、所定の角度で位置決めして固設されている。
【００４６】
また、本実施形態の人体検知センサ５は、センサ窓部１１ａの下端側のロゴＭが印刷された領域よりも上方のロゴＭがない領域を通して人体を検知するように設けられている。さらに、本実施形態では、ロゴＭ（ロゴＭの少なくとも一部）がセンサ窓取付部１５の取付座部４ｅと対向する位置、すなわち上下方向に重なる位置に設けられている。
【００４７】
そして、上記構成からなる本実施形態の便器装置Ａにおいては、センサ窓６をカバーケース４の幅方向Ｔ１中央に配置し、センサ窓部１１ａにロゴ（マーク）Ｍを施すことによって、従来、それぞれ個別に点在し、単独で機能していたブランドロゴや商品ロゴ等のロゴＭとセンサ窓６とをまとめて設けることができ、これにより、意匠性の向上を図ることが可能になる。
【００４８】
また、従来のように便器装置Ａの幅方向Ｔ１の側部側でなく、中央にセンサ窓６及び人体検知センサ５を設けることにより、従来よりも検知範囲Ｈを広く設定でき、検知精度を高めることができる。
【００４９】
また、センサ窓取付部１５にセンサ窓６を取り付けるとともに、センサ窓６の窓取付部材１２の装飾部１２ｃがセンサ窓６とカバーケース４のセンサ窓取付部１５の取合部に沿って配設されることにより、メッキ処理した装飾部１２ｃによってセンサ窓部１１ａの外周を縁取った形となり、見栄えをよくすることができる。すなわち、センサ窓部１１ａにロゴＭを設け、さらにその外周が装飾部１２ｃで縁取られていることによって、センサ窓６をセンサ窓６として意識させないエンブレムのような仕立てが可能になり、さらなる意匠性の向上を図ることができる。
【００５０】
また、センサ窓部１１ａがカバーケース４の上面（表面）４ｂよりも外側に突出するようにしてセンサ窓６が設けられていることにより、さらにロゴＭを目立たせ、センサ窓６をセンサ窓として意識させないようにすることができる。
【００５１】
また、センサ窓６に設けるロゴ（マーク）Ｍを変更するだけで容易に製品のブランド変更が可能になり、例えば、ＯＥＭ製品などへの対応を容易にすることができる。
【００５２】
さらに、センサ窓６をカバーケース４の外側、すなわち便器装置Ａの外側からセンサ窓取付部１５（開口部７）に嵌め込んで着脱可能に取り付けるように構成したことにより、従来のように内側に保持部材などを設ける必要がない。これにより、容易にセンサ窓６を着脱することができるとともに、部材点数の削減を図ることも可能になる。
【００５３】
また、センサ窓６が、センサ窓本体１１に加え、窓保持部材１０（及び／又は窓取付部材１２）を備えて構成されていることによって、センサ窓６の強度を好適に確保することができる。
【００５４】
また、センサ窓部１１ａがカバーケース４の表面よりも外側に突出していることにより、人体検知センサ５（センサ基板）などをその突出量に応じて上方に配置することができる。言い換えれば、人体検知センサ５などを開口部７に近づけて配置することができる。これにより、カバーケース４内部のレイアウトの自由度を上げることができるとともに、センサ窓部１１ａに近づけて人体検知センサ５を配置できることで、検知範囲Ｈのさらなる広域化、検知精度のさらなる向上を図ることが可能になる。
【００５５】
また、装飾部１２ｃがあることによってセンサ窓部１１ａをカバーケース４の表面から外側に突出させても見栄えをよくすることができる。言い換えれば、装飾部１２ｃを設けることによって、センサ窓部１１ａとカバーケース４の表面を面合せする必要がなくなり、センサ窓６の取付けの制約を小さくすることができる。
【００５６】
さらに、本実施形態では、センサ窓部１１ａが横断面視、縦断面視で凸円弧状に形成されていることによって、人体検知センサ５（センサ基板）などをさらに上方に配置することができる。この点からも、検知範囲Ｈの広域化、検知精度の向上を図ることが可能になる。
【００５７】
また、センサ窓部１１ａが後端側から前端側に向かうに従いその幅が大となるように形成されていることにより、人体検知センサ５の検知範囲Ｈをさらに広域化することができ、検知精度のさらなる向上を図ることができる。
【００５８】
以上、本発明に係る便器装置の一実施形態について説明したが、本発明は上記の一実施形態に限定されるものではなく、その趣旨を逸脱しない範囲で適宜変更可能である。
【００５９】
例えば、本実施形態では、本発明に係るセンサ窓６（及び人体検知センサ５）がカバーケース４の中央、上面４ｂ側に取り付けられているものとしたが、カバーケース４の他の部位やカバーケース４以外の便器装置Ａの外殻を形成する他の外殻体に設けられていてもよい。
【００６０】
また、センサ窓６のセンサ窓部１１ａには、ロゴＭではなく、模様などが表示されていてもよい。すなわち、センサ窓部１１ａに表示するマークＭの種類をロゴに限定する必要はない。さらに、人体検知センサ５で人を検知可能であれば、センサ窓部１１ａに表示されるマークＭが人体検知センサ５の検知範囲Ｈと重なるように設けられていてもよい。
【００６１】
また、本実施形態では、本発明に係る便器装置が便器本体１と洗浄機構部２と便座３ａ及び便蓋３ｂからなる便座部３とを備えて構成されているものとして説明を行った。これに対し、本発明に係る便器装置は、少なくとも、センサ窓と人体検知センサとからなる人体検知システムＢを備えて構成されていればよい。例えば、本発明に係る便器装置を、洗浄機構部２と、便座３ａ及び便蓋３ｂからなる便座部３と、カバーケース４と、人体検知システムＢとで構成してもよい。
【符号の説明】
【００６２】
１      便器本体
２      洗浄機構部
３      便座部
３ａ    便座
３ｂ    便蓋
４      カバーケース（外殻体）
４ａ    カバー（外殻体）
４ｂ    上面（表面、外面）
４ｃ    下面（内面）
４ｄ    段部
４ｅ    取付座部
５      人体検知センサ
６      センサ窓
７      開口部
１０    窓保持部材
１０ａ  側壁部
１０ｂ  係合凹部
１１    センサ窓本体
１１ａ  センサ窓部
１１ｂ  嵌合壁部
１１ｃ  内側係合凸部
１１ｄ  外側係合凸部
１２    窓取付部材（インナー部材）
１２ａ  取付部
１２ｂ  側壁部
１２ｃ  装飾部
１２ｄ  係合凹部
１３    両面テープ
１５    センサ窓取付部
１６    両面テープ
Ａ      便器装置
Ｂ      人体検知システム
Ｍ      ロゴ（マーク）
Ｏ１    軸線
Ｔ１    幅方向
Ｔ２    前後方向
【図１】
0006734096.tif 000002
【図２】
0006734096.tif 000003
【図３】
0006734096.tif 000004
【図４】
0006734096.tif 000005
【図５】
0006734096.tif 000006
【図６】
0006734096.tif 000007